(57)【要約】【課題】バイレベル吹出モードとした場合のフェイス吹出温度とフット吹出温度とでの上下温度差を適正にする。【解決手段】複数のエアミックスドア１６ａ〜１６ｄにて最大冷房状態と最大暖房状態との中間状態に操作され、フェイス開口部２２とフット開口部２４とが開口されるバイレベル吹出モードのとき、両空気通路のそれぞれに設けられた複数のドア１６ａ〜１６ｄのうち、それぞれ他方の空気通路と近い側のドア１６ｂ、１６ｃが閉じ、それぞれ他方の空気通路と遠い側のドア１６ａ、１６ｄが開いている。  これにより、バイレベル吹出モードで上下温度差のつきにくい空調ユニットの場合、バイレベル吹出モード時に、両空気通路とも、それぞれ他方の空気通路と遠い側のエアミックスドア１６ａ、１６ｄを開くことで、混合空間１９での冷風と温風との混合度合いが低くなり、フェイス吹出温度とフット吹出温度とでの上下温度差を大きくすることができる。【選択図】図１
2009006896.tif 000002
【特許請求の範囲】
【請求項１】
空気通路を形成するケース（１１）と、
前記ケース（１１）内に配設され、通過する空気を冷却するエバポレータ（１２）と、
前記エバポレータ（１２）の下流側において、前記ケース（１１）の内部に形成される冷風側通路（１５）および温風側通路（１８）と、
前記冷風側通路（１５）および温風側通路（１８）の下流側において、前記ケース（１１）の内部に形成される混合空間（１９）と、
車両のフェイスダクトに接続され、前記ケース（１１）に形成されるフェイス開口部（２２）と、
車両のフットダクトに接続され、前記ケース（１１）に形成されるフット開口部（２４）と、
前記温風側通路（１８）に配設され、前記エバポレータ（１２）を通過した全部もしくは一部の冷却空気を加熱するヒータコア（１３）と、
前記冷風側通路（１５）の上流側に配設され、前記冷風側通路（１５）を流れる冷風の風量を制御する少なくとも一つの冷風側エアミックスドア（１６ａ、１６ｂ）と、
前記温風側通路（１８）の上流側に配設され、前記温風側通路（１８）を流れる温風の風量を制御する少なくとも一つの温風側エアミックスドア（１６ｃ、１６ｄ）とを備える車両用空調装置において、
前記冷風側エアミックスドア（１６ａ、１６ｂ）および前記温風側エアミックスドア（１６ｃ、１６ｄ）の少なくともいずれか一方のエアミックスドアを、複数のドア（１６ａ〜１６ｄ）から構成するとともに、
前記フェイス開口部（２２）および前記フット開口部（２４）がともに開き、前記フェイス開口部（２２）には前記冷風が、前記フット開口部（２４）には前記温風がそれぞれ主に流れるバイレベル吹出モードのとき、前記複数のドア（１６ａ〜１６ｄ）のうちいずれか１つのドアが閉じられ、他のドアが開かれるように作動されることを特徴とする車両用空調装置。
【請求項２】
前記冷風側エアミックスドア（１６ａ、１６ｂ）および前記温風側エアミックスドア（１６ｃ、１６ｄ）のそれぞれのエアミックスドアを、複数のドア（１６ａ〜１６ｄ）から構成するとともに、
前記バイレベル吹出モードのとき、前記冷風側エアミックスドア（１６ａ、１６ｂ）および前記温風側エアミックスドア（１６ｃ、１６ｄ）のそれぞれにおいて、前記複数のドア（１６ａ〜１６ｄ）のうちいずれか１つのドアが閉じられ、他のドアが開かれるように作動されることを特徴とする請求項１に記載の車両用空調装置。
【請求項３】
前記冷風側エアミックスドア（１６ａ、１６ｂ）に設けられた前記複数のドア（１６ａ、１６ｂ）のうち、前記温風側通路（１８）に近い位置に設けられたドア（１６ｂ）と、
前記温風側エアミックスドア（１６ｃ、１６ｄ）に設けられた前記複数のドア（１６ｃ、１６ｄ）のうち、冷風側通路（１５）に近い位置に設けられたドア（１６ｃ）が、
前記バイレベル吹出モードのとき閉じられることを特徴とする請求項２に記載の車両用空調装置。
【請求項４】
前記冷風側エアミックスドア（１６ａ、１６ｂ）に設けられた前記複数のドア（１６ａ、１６ｂ）のうち、前記温風側通路（１８）に遠い位置に設けられたドア（１６ａ）と、
前記温風側エアミックスドア（１６ｃ、１６ｄ）に設けられた前記複数のドア（１６ｃ、１６ｄ）のうち、冷風側通路（１５）に遠い位置に設けられたドア（１６ｄ）が、
前記バイレベル吹出モードのとき閉じられることを特徴とする請求項２に記載の車両用空調装置。
【発明の詳細な説明】
【技術分野】
【０００１】
本発明は、冷風側の空気通路、もしくは温風側の空気通路に複数のエアミックスドアが構成される車両用空調装置に関するものである。
【背景技術】
【０００２】
車両用空調装置の一般的な空調ユニットは、空気通路を形成するケースと、ケース内に配置されて通過する空気を冷却するエバポレータと、冷却空気を加熱するヒータコアと、ヒータコアをバイパスして冷却空気が流れるバイパス通路と、ヒータコアの空気流れ上流側に配置されてヒータコアを通過する空気とバイパス通路を通過する空気との風量割合を調節するエアミックスドアとを備えている。なお、下記特許文献１には、ヒータコア側の空気通路、およびバイパス通路側の空気通路に、それぞれ多数枚のエアミックスドアを構成した空調装置が示されている。
【０００３】
また、車両用空調装置の一般的な空調ユニットは、バイパス通路から供給される冷風とヒータコアで加熱されて温風通路から供給される温風とを混合させる混合空間と、混合空間の空気流れ下流側でバイパス通路寄りに配置されたフェイス開口部と、混合空間の空気流れ下流側で温風通路寄りに配置されたフット開口部とを備えている。なお、下記特許文献２には、このような開口部に設けるドアを二枚のドアで構成し、この二枚のドアに時間差を持たせて順次開けるドア構造が示されている。
【０００４】
そして、このような構造の一般的な室内ユニットにおいて、エアミックスドアを最大冷房位置と最大暖房位置との中間位置に操作するとともに、フェイス開口部とフット開口部とを開口することで、バイレベル吹出モードとして頭寒足熱の温度分布を形成することができる。
【特許文献１】米国特許第５８７８８０６号公報
【特許文献２】特開平１０−２４４８２２号公報
【発明の開示】
【発明が解決しようとする課題】
【０００５】
しかしながら、室内ユニットは車両毎の異なる車室内レイアウトに合せて設計されるため、基本的な構造は同じでも具体的な形状は車種毎に異なっている。そして、形状の異なる各室内ユニットで上記したようなバイレベル吹出モードとした場合、レイアウトの違いよって混合空間での冷風と温風との混合度合いに大きな違いがでる。これは、冷風と温風とが充分に混合されないうちに冷風はフェイス開口部へ、温風はフット開口部へと流出して、必要以上に上下温度差が拡大してしまったり、この逆で適正な上下温度差が作り出せなかったりという問題となる。
【０００６】
本発明は、このような従来の問題に着目して成されたものであり、その目的は、バイレベル吹出モードとした場合のフェイス吹出温度とフット吹出温度とでの上下温度差を、適正にすることの容易な車両用空調装置を提供することにある。
【課題を解決するための手段】
【０００７】
本発明は上記目的を達成するために、下記の技術的手段を採用する。すなわち、請求項１に記載の発明では、空気通路を形成するケース（１１）と、ケース（１１）内に配設され、通過する空気を冷却するエバポレータ（１２）と、エバポレータ（１２）の下流側において、ケース（１１）の内部に形成される冷風側通路（１５）および温風側通路（１８）と、冷風側通路（１５）および温風側通路（１８）の下流側において、ケース（１１）の内部に形成される混合空間（１９）と、車両のフェイスダクトに接続され、ケース（１１）に形成されるフェイス開口部（２２）と、車両のフットダクトに接続され、ケース（１１）に形成されるフット開口部（２４）と、温風側通路（１８）に配設され、エバポレータ（１２）を通過した全部もしくは一部の冷却空気を加熱するヒータコア（１３）と、冷風側通路（１５）の上流側に配設され、冷風側通路（１５）を流れる冷風の風量を制御する少なくとも一つの冷風側エアミックスドア（１６ａ、１６ｂ）と、温風側通路（１８）の上流側に配設され、温風側通路（１８）を流れる温風の風量を制御する少なくとも一つの温風側エアミックスドア（１６ｃ、１６ｄ）とを備える車両用空調装置において、
冷風側エアミックスドア（１６ａ、１６ｂ）および温風側エアミックスドア（１６ｃ、１６ｄ）の少なくともいずれか一方のエアミックスドアを、複数のドア（１６ａ〜１６ｄ）から構成するとともに、フェイス開口部（２２）およびフット開口部（２４）がともに開き、フェイス開口部（２２）には冷風が、フット開口部（２４）には温風がそれぞれ主に流れるバイレベル吹出モードのとき、複数のドア（１６ａ〜１６ｄ）のうちいずれか１つのドアが閉じられ、他のドアが開かれるように作動されることを特徴としている。
【０００８】
この請求項１に記載の発明によれば、バイレベル吹出モードとした場合のフェイス吹出温度とフット吹出温度とでの上下温度差が、適正と成るように調節することができる。
【０００９】
また、請求項２に記載の発明では、冷風側エアミックスドア（１６ａ、１６ｂ）および温風側エアミックスドア（１６ｃ、１６ｄ）のそれぞれのエアミックスドアを、複数のドア（１６ａ〜１６ｄ）から構成するとともに、バイレベル吹出モードのとき、冷風側エアミックスドア（１６ａ、１６ｂ）および前記温風側エアミックスドア（１６ｃ、１６ｄ）のそれぞれにおいて、複数のドア（１６ａ〜１６ｄ）のうちいずれか１つのドアが閉じられ、他のドアが開かれるように作動されることを特徴としている。
【００１０】
この請求項２に記載の発明によれば、バイレベル吹出モードとした場合のフェイス吹出温度とフット吹出温度とでの上下温度差が、適正と成るように調節し易くすることができる。
【００１１】
また、請求項３に記載の発明では、冷風側エアミックスドア（１６ａ、１６ｂ）に設けられた複数のドア（１６ａ、１６ｂ）のうち、温風側通路（１８）に近い位置に設けられたドア（１６ｂ）と、温風側エアミックスドア（１６ｃ、１６ｄ）に設けられた複数のドア（１６ｃ、１６ｄ）のうち、冷風側通路（１５）に近い位置に設けられたドア（１６ｃ）が、バイレベル吹出モードのとき閉じられることを特徴としている。
【００１２】
この請求項３に記載の発明によれば、バイレベル吹出モードで上下温度差のつきにくい空調ユニットの場合、バイレベル吹出モード時に、温風側通路（１８）も冷風側通路（１５）も、それぞれ他方の空気通路と遠い側のエアミックスドア（１６ａ、１６ｄ）を開き、それぞれ他方の空気通路と近い側のエアミックスドア（１６ｂ、１６ｃ）を閉じることで、混合空間（１９）での冷風と温風との混合度合いが低くなり、フェイス吹出温度とフット吹出温度とでの上下温度差を大きくすることができる。
【００１３】
また、請求項４に記載の発明では、冷風側エアミックスドア（１６ａ、１６ｂ）に設けられた複数のドア（１６ａ、１６ｂ）のうち、温風側通路（１８）に遠い位置に設けられたドア（１６ａ）と、温風側エアミックスドア（１６ｃ、１６ｄ）に設けられた複数のドア（１６ｃ、１６ｄ）のうち、冷風側通路（１５）に遠い位置に設けられたドア（１６ｄ）が、バイレベル吹出モードのとき閉じられることを特徴としている。
【００１４】
この請求項４に記載の発明によれば、バイレベル吹出モードで上下温度差が拡大し易い空調ユニットの場合、バイレベル吹出モード時に、温風側通路（１８）も冷風側通路（１５）も、それぞれ他方の空気通路と近い側のエアミックスドア（１６ｂ、１６ｃ）を開き、それぞれ他方の空気通路と遠い側のエアミックスドア（１６ａ、１６ｄ）を閉じることで、混合空間（１９）での冷風と温風との混合度合いが高くなり、フェイス吹出温度とフット吹出温度とでの上下温度差を小さくすることができる。なお、特許請求の範囲および上記各手段に記載の括弧内の符号は、後述する実施形態に記載の具体的手段との対応関係を示す一例である。
【発明を実施するための最良の形態】
【００１５】
（第１実施形態）
以下、第１実施形態について添付した図１〜３を用いて詳細に説明する。図１は、第１実施形態における空調ユニット１０の縦断面図であり、バイレベル（Ｂ／Ｌ）吹出モードの状態を示している。本実施形態の車両用空調装置の通風系は、大別して、図示しない送風機ユニットと、図１に示す空調ユニット１０との２つの部分に分かれている。
【００１６】
送風機ユニットは、車室内の計器盤下方部のうち、中央部から助手席側へオフセットして配置されている。これに対して空調ユニット１０は、車室内の計器盤下方部のうち、車両左右方向の略中央部に配置されている。送風機ユニットは周知の如く、内気（車室内空気）と外気（車室外空気）とを切り替え導入する内外気切替箱と、この内外気切替箱を通して空気を吸入して送風する送風機とから構成されている。この送風機は、周知の遠心多翼ファン（シロッコファン）を電動モータにて回転駆動するものである。
【００１７】
空調ユニット１０は、送風機ユニットより空気下流側における車室内への空気通路を構成するものであり、本例では左右分割の空調ケース（ケース）１１内に、冷凍サイクルのエバポレータ（冷媒蒸発器、冷却用熱交換器）１２と、ヒータコア（加熱用熱交換器）１３とを両方とも一体的に収納するタイプのものである。
【００１８】
空調ケース１１は、ポリプロピレンのような、ある程度の弾性を有し、強度的にも優れた樹脂の成形品から成り、車両左右方向に分割される縦割りの２つのケース部材にて構成されている。つまり、２つの空調ケース１１は、車両右側に位置する右側ケースと、車両左側に位置する左側ケースとから成っている。
【００１９】
なお、図１中でハッチングを入れた部分は、実際には２つのケースの分割面を表している。この２つのケースは、上記の熱交換器１２、１３と、後述のドアなどの機器とを収納した後に、金属バネクリップやネジなどの締結手段により一体に結合されて空調ユニット１０を構成する。
【００２０】
この空調ユニット１０は、車室内の前方部位で車両の前後および上下の方向に対して、図１に示す状態で配置され、空調ケース１１の最も車両前方側の部位には空気流入口１４が形成されている。この空気流入口１４は、助手席前方の部位に配置される前述の送風機ユニットの空気出口部に接続するため、空調ケース１１のうち、助手席側の側面に開口している。
【００２１】
本実施形態は右ハンドル車に適用した例を示している。空調ユニット１０より車両左側に配置された送風機ユニットから送風される空調用空気が、この空気流入口１４に流入する。空調ケース１１内において、空気流入口１４直後の部位には前述のエバポレータ１２が配置されている。このエバポレータ１２は、車両前後方向には薄型の形態で、空調ケース１１内通路を横断するように上下左右方向に配置されている。そして、エバポレータ１２の車両上下左右方向に延びる前面側から、空気流入口１４からの送風空気が流入する。
【００２２】
エバポレータ１２は、例えば周知の積層型のものであり、アルミニウムなどの金属薄板を２枚張り合わせて構成した偏平チューブ間に、コルゲートフィンを介在させて多数積層配置し、一体にろう付けしたものである。このエバポレータ１２は周知の如く、冷凍サイクルの冷媒の蒸発潜熱を空調用空気から吸熱して、通過する空調用空気を冷却する冷却用熱交換器を構成するものである。
【００２３】
そして、エバポレータ１２の空気流れ下流側（車両後方側）には、所定の間隔を空けてヒータコア１３が配置されている。このヒータコア１３は、エバポレータ１２を通過した冷風を再加熱するものであり、その内部に高温の温水（エンジン冷却水）が流れ、この温水を熱源として空気を加熱する加熱用熱交換器を構成するものである。ヒータコア１３は周知のものであり、例えばアルミニウムなどの金属薄板を溶接などによって断面偏平状に接合してなる偏平チューブ間に、コルゲートフィンを介在して多数積層配置し、一体にろう付けしたものである。
【００２４】
空調ケース１１内の空気通路において、ヒータコア１３の上方部位には、このヒータコア１３をバイパスして空気（冷風）が流れるバイパス通路１５が形成されている。また、エバポレータ１２とヒータコア１３との間の部位には、ヒータコア１３で再加熱される冷風と、バイパス通路１５を通ってヒータコア１３をバイパスする冷風との風量割合を調節する平板状のエアミックスドア（風量割合調節手段）１６が複数配置されている。
【００２５】
本実施形態におけるエアミックスドア１６は、バイパス通路１５側の空気通路（以後、冷風側通路とも言う）に配設された二枚のドア１６ａ、１６ｂと、ヒータコア１３側の空気通路（以後、温風側通路とも言う）に配設された二枚のドア１６ｃ、１６ｄとから構成されている。これらのエアミックスドア１６ａ〜１６ｄは、それぞれ水平方向に配置された回転軸１６１ａ〜１６１ｄと一体に結合されており、この回転軸１６１ａ〜１６１ｄとともに略車両上下方向に回動可能となっている。
【００２６】
エアミックスドア１６ａ〜１６ｄの回転軸１６１ａ〜１６１ｄとドア基板とは樹脂で一体的に形成され、そのドア基板の周縁にエラストマ樹脂などで弾性シールリップを形成した構造となっている。回転軸１６１ａ〜１６１ｄは、空調ケース１１に回転自在に支持され、且つ、回転軸１６１ａ〜１６１ｄの一端部は、空調ケース１１の外部に突出している。
【００２７】
その回転軸１６１ａ〜１６１ｄは、図示しないリンク機構を介してサーボモータなどを用いたアクチュエータ機構、または手動操作機構に連結されている。そして、これらの機構によってエアミックスドア１６ａ〜１６ｄの回動位置を調節するようになっている。なお、このエアミックスドア１６ａ〜１６ｄの開閉パターンが本実施形態の特徴部であり、詳細については後述する。
【００２８】
空調ケース１１において、ヒータコア１３の空気下流側（車両後方側）の部位には、ヒータコア１３との間に所定間隔を空けて上下方向に延びる壁部１７が、空調ケース１１に一体成形されている。この壁面１７により、ヒータコア１３の直後から上方に向かう温風通路１８が形成されている。温風通路１８の下流側（上方側）は、ヒータコア１３の後方かつ上方部において冷風バイパス通路１５と合流し、冷風と温風との混合を行う混合空間１９を形成している。
【００２９】
空調ケース１１内で混合空間１９の下流側には、吹出モード切替部が構成されている。まず、空調ケース１１の上面部の車両前方側の部位には、デフロスタ（ＤＥＦ）開口部２０が開口している。このデフロスタ開口部２０には、温風通路１８からの温風、もしくは混合空間１９から温度調節された空調用空気が流入する。このデフロスタ開口部２０は、図示しないデフロスタダクトを介して車室内のデフロスタ吹出口に接続され、このデフロスタ吹出口から車両前面窓ガラスの内面に向けて風を吹き出す。
【００３０】
デフロスタ開口部２０は、平板状のデフロスタドア２１によって開閉される。このデフロスタドア２１は、空調ケース１１の上面部近傍にて、水平方向に配置された回転軸２１１により回動するようになっている。デフロスタドア２１の回転軸２１１とドア基板とは樹脂で一体的に形成され、そのドア基板の周縁にエラストマ樹脂などで弾性シールリップを形成した構造となっている。デフロスタ開口部２０の周縁部のうち、冷風バイパス通路１５から混合空間１９に向かう冷風流れの上流側部位に回転軸２１１を配置して、デフロスタドア２１の先端部は冷風流れの下流側に向かうようにしてある。
【００３１】
空調ケース１１の上面部で、デフロスタ開口部２０よりも車両後方側の部位には、フェイス（ＦＡＣＥ）開口部２２が開口している。このフェイス開口部２２には、バイパス通路１５からの冷風、もしくは混合空間１９から温度調節された空調用空気が流入する。このフェイス開口部２２は、図示しないフェイスダクトを介して車室内のフェイス吹出口に接続され、このフェイス吹出口から車室内乗員の頭胸部に向けて風を吹き出す。
【００３２】
フェイス開口部２２は、平板状のフェイスドア２３によって開閉される。このフェイスドア２３は、空調ケース１１の上面部近傍にて、水平方向に配置された回転軸２３１により回動するようになっている。フェイスドア２３の回転軸２３１とドア基板とは樹脂で一体的に形成され、そのドア基板の周縁にエラストマ樹脂などで弾性シールリップを形成した構造となっている。
【００３３】
空調ケース１１において、フェイス開口部２２の下方部位には、フット（ＦＯＯＴ）開口部２４が開口している。このフット開口部２４ｉは、温風通路１８からの温風、もしくは混合空間１９から温度調節された空調用空気が流入する。このフット開口部２４は、図示しないフットダクトが接続されて車室内のフット吹出口に連通しており、このフット吹出口から車室内乗員の足元に向けて風を吹き出す。
【００３４】
フット開口部２４は、平板状のフットドア２５によって開閉される。このフットドア２５は、空調ケース１１の車両後方側壁部で、水平方向に配置された回転軸２５１により回動するようになっている。フットドア２５の回転軸２５１とドア基板とは樹脂で一体的に形成され、そのドア基板の周縁にエラストマ樹脂などで弾性シールリップを形成した構造となっている。なお、上述した各ドアのシールは、ウレタン材などを用いたパッキンシールであっても良い。
【００３５】
上記した吹出モードドアとしてのデフロスタドア２１、フェイスドア２３、フットドア２５は、共通の図示しないリンク機構を介してサーボモータなどを用いたアクチュエータ機構、または手動操作機構に連結され、これらの機構によって吹出モードドアの回動位置を可変して吹出モードを可変するようになっている。
【００３６】
なお、吹出モードとしては、フェイスモード、バイレベル（Ｂ／Ｌ）モード、フットモード、フット／デフロスタモード、デフロスタモードなどがある。なお、本空調装置の制御に関する構成、および作動の概要については、説明を省略する。
【００３７】
次に、本実施形態の特徴部分として、エアミックスドア１６ａ〜１６ｄの開閉パターンを説明する。エアミックスドア１６ａ〜１６ｄは、風量割合の調節により車室内への吹出空気温度を調節する温度調節手段となっているため、基本的には冷風側通路のドア１６ａ、１６ｂの開閉と、温風側通路のドア１６ｃ、１６ｄの開閉とが逆に作動するようになっている。
【００３８】
図２は、図１の空調ユニットにおける複数枚のエアミックス（Ａ／Ｍ）ドア１６ａ〜１６ｄの作動線図であり、図３は、図１の空調ユニットにおける吹出モードと吹出温度との関係を示すグラフである。フェイスモードなどで吹き出し温度を低くするＭＡＸ．ＣＯＯＬ（最大冷房）状態では、冷風側通路のドア１６ａ、１６ｂを全開とし、温風側通路のドア１６ｃ、１６ｄを全閉とし、逆に、フットモードなどで吹き出し温度を高くするＭＡＸ．ＨＯＴ（最大暖房）状態では、冷風側通路のドア１６ａ、１６ｂを全閉とし、温風側通路のドア１６ｃ、１６ｄを全開とする。
【００３９】
そして、そのＭＡＸ．ＣＯＯＬ（Ｍ／Ｃ）とＭＡＸ．ＨＯＴ（Ｍ／Ｈ）との中間でバイレベル（Ｂ／Ｌ）状態となる。本実施形態では、このバイレベル（Ｂ／Ｌ）状態としたときに、それぞれの空気通路で他方の空気通路と遠い側のドアとして冷風側通路ではドア１６ａと、温風側通路ではドア１６ｄとが開き、逆に、それぞれの空気通路で他方の空気通路と近い側のドアとして冷風側通路ではドア１６ｂと、温風側通路ではドア１６ｃとが閉じる作動パターンとしている。
【００４０】
これにより、冷風通路側ではドア１６ａからの冷風がフェイス開口部２２に流れ易く、フェイス側の吹出温度が低くなり、温風通路側ではドア１６ｄからヒータコア１３を通った温風がフット開口部２４に流れ易く、フット側の吹出温度が高くなることから、バイレベル吹出モードでの上下温度差を大きくすることができる。
【００４１】
次に、本実施形態の特徴と、その効果について述べる。エアミックスドア１６は、ヒータコア１３側の空気通路とバイパス通路１５側の空気通路とのそれぞれに複数のドア１６ａ〜１６ｄで構成されるとともに、複数のドア１６ａ〜１６ｄにて最大冷房状態と最大暖房状態との中間状態に操作され、フェイス開口部２２とフット開口部２４とが開口されるバイレベル吹出モードのときに、両空気通路のそれぞれに設けられた複数のドア１６ａ〜１６ｄのうち、それぞれ他方の空気通路と近い側のドア１６ｂ、１６ｃが閉じ、それぞれ他方の空気通路と遠い側のドア１６ａ、１６ｄが開くようにしている。
【００４２】
これによれば、バイレベル吹出モードで上下温度差のつきにくい空調ユニットの場合、バイレベル吹出モード時に、ヒータコア１３側の空気通路もバイパス通路１５側の空気通路も、それぞれ他方の空気通路と遠い側のエアミックスドア１６ａ、１６ｄを開くことで、混合空間１９での冷風と温風との混合度合いが低くなり、フェイス吹出温度とフット吹出温度とでの上下温度差を大きくすることができる。
【００４３】
（第２実施形態）
次に、第２実施形態について図４〜６を用いて説明する。図４は、第２実施形態における空調ユニット１０の縦断面図であり、バイレベル吹出モードの状態を示す。また図５は、図４の空調ユニットにおける複数枚のエアミックス（Ａ／Ｍ）ドア１６ａ〜１６ｄの作動線図であり、図６は、図４の空調ユニットにおける吹出モードと吹出温度との関係を示すグラフである。なお、上述した第１実施形態と同一の構成要素には同一の符号を付して説明を省略し、本実施形態での特徴と、その効果についてのみ述べる。
【００４４】
本実施形態では、複数のドア１６ａ〜１６ｄにて最大冷房状態と最大暖房状態との中間状態に操作され、フェイス開口部２２とフット開口部２４とが開口されるバイレベル吹出モードのときに、両空気通路のそれぞれに設けられた複数のドア１６ａ〜１６ｄのうち、それぞれ他方の空気通路と近い側のドア１６ｂ、１６ｃが開き、それぞれ他方の空気通路と遠い側のドア１６ａ、１６ｄが閉じるようにしている。
【００４５】
これによれば、バイレベル吹出モードで上下温度差が拡大し易い空調ユニットの場合、バイレベル吹出モード時に、ヒータコア１３側の空気通路もバイパス通路１５側の空気通路も、それぞれ他方の空気通路と近いのエアミックスドア１６ｂ、１６ｃを開くことで、混合空間１９での冷風と温風との混合度合いが高くなり、フェイス吹出温度とフット吹出温度とでの上下温度差を小さくすることができる。
【００４６】
（その他の実施形態）
本発明は上述した実施形態にのみ限定されるものではなく、次のように変形または拡張することができる。例えば、上述の第１実施形態ではバイレベル吹出モード時に他方の空気通路と近い側のドア１６ｂ、１６ｃを閉じ、上述の第２実施形態ではバイレベル吹出モード時に他方の空気通路と遠い側のドア１６ａ、１６ｄを閉じるようにしているが、これらは完全には閉じていなくても良く、主流ではない程度に開いていても良い。
【００４７】
また、上述の実施形態では複数のドア１６ａ〜１６ｄの開閉パターンを固定としているが、複数のドア１６ａ〜１６ｄの開閉パターンを可変として、フェイス吹出温度とフット吹出温度とでの上下温度差を、大きしたり小さくしたり可変できるように構成しても良い。
【００４８】
また、上述の実施形態ではエアミックスドア１６の構成を、冷風側通路、温風側通路とも二枚ずつで構成しているが、いずれも三枚以上の多数枚構成としても良い。その場合、他方の空気通路と最も近いドアと最も遠いドアとの間のドアは、バイレベル吹出モード時に開いていても閉じていても良い。
【００４９】
また、上述の実施形態ではエアミックスドア１６を、回転軸がドア基板の中央側に設けたバタフライドアとしているが、ドア種類を限るものではなく、回転軸をドア基板の一端側に設けた片持ちドア、回転軸をドア基板と離間させたロータリドア、回動ではなく面スライドする各種の面スライドアなどで構成しても良い。
【００５０】
また、上述の実施形態では、フェイス開口部２２とフェイスドア２３、フット開口部２４とフットドア２５をそれぞれ設けた空調ユニット１０となっているが、フェイス開口部とフット開口部とに連通する共通の流入部を有し、この流入部からの風流れを１枚のフェイス−フットドアでフェイス開口部とフット開口部とに切り替える構造の空調ユニットであっても良い。
【００５１】
また、複数枚のエアミックスドアは、それぞれを直接空調ケースに組み付ける構造であっても良いし、別体カセット化など、サブ組付されたものを組み付ける構造であっても良い。また、さらにドア群を左右用それぞれに分けて構成した左右独立コントロールタイプの空調ユニットであっても良い。
【図面の簡単な説明】
【００５２】
【図１】第１実施形態における空調ユニット１０の縦断面図であり、バイレベル吹出モードの状態を示す。
【図２】図１の空調ユニットにおける複数枚のエアミックス（Ａ／Ｍ）ドア１６ａ〜１６ｄの作動線図である。
【図３】図１の空調ユニットにおける吹出モードと吹出温度との関係を示すグラフである。
【図４】第２実施形態における空調ユニット１０の縦断面図であり、バイレベル吹出モードの状態を示す。
【図５】図４の空調ユニットにおける複数枚のエアミックス（Ａ／Ｍ）ドア１６ａ〜１６ｄの作動線図である。
【図６】図４の空調ユニットにおける吹出モードと吹出温度との関係を示すグラフである。
【符号の説明】
【００５３】
１１…空調ケース（ケース）
１２…エバポレータ
１３…ヒータコア
１５…バイパス通路（冷風側通路）
１６ａ…冷風側エアミックスドア、複数のドア、他方の空気通路と遠い側のドア
１６ｂ…冷風側エアミックスドア、複数のドア、他方の空気通路と近い側のドア
１６ｃ…温風側エアミックスドア、複数のドア、他方の空気通路と近い側のドア
１６ｄ…温風側エアミックスドア、複数のドア、他方の空気通路と遠い側のドア
１８…温風側通路
１９…混合空間
２２…フェイス開口部
２４…フット開口部
【図１】
2009006896.tif 000003
【図２】
2009006896.tif 000004
【図３】
2009006896.tif 000005
【図４】
2009006896.tif 000006
【図５】
2009006896.tif 000007
【図６】
2009006896.tif 000008